(57)【要約】【課題】取付け作業および取外し作業を容易に行うことが可能な果実袋を提供する。【解決手段】果実袋１は、果実を覆うように果実に被せられる袋本体３と、袋本体３の袋口３ａ側がすぼまった状態を維持するために袋本体３の袋口３ａ側に巻き付けられるとともに袋本体３に保持される巻付け部材４とを備えており、巻付け部材４は、ひも状に形成されるゴム製またはエラストマー製あるいはシリコーン製のひも状部材５と、ひも状部材５の一端側を保持する保持部材６とを備えている。保持部材６の端面６ａ、６ｂには、ひも状部材５が嵌め込まれて固定される固定溝６ｃ、６ｄが形成され、ひも状部材５には、固定溝６ｃ、６ｄに嵌め込まれたひも状部材５のずれを防止するための膨張部５ａがひも状部材５の長手方向において所定のピッチで膨らむように形成されている。【選択図】図１
2017029004.tif 000002
【特許請求の範囲】
【請求項１】
果実を覆うように前記果実に被せられる袋本体と、前記袋本体の袋口側がすぼまった状態を維持するために前記袋本体の前記袋口側に巻き付けられるとともに前記袋本体に保持される巻付け部材とを備え、
前記巻付け部材は、ひも状に形成されるゴム製またはエラストマー製あるいはシリコーン製のひも状部材と、前記ひも状部材の一端側を保持する平板状またはブロック状の保持部材とを備え、
前記保持部材は、前記保持部材の厚さ方向と前記袋本体の厚さ方向とが一致するように前記袋本体に保持され、
前記保持部材の厚さ方向を第１方向とすると、
前記第１方向に直交する方向における前記保持部材の端面には、前記ひも状部材が嵌め込まれて固定される固定溝が形成され、
前記ひも状部材には、前記固定溝に嵌め込まれた前記ひも状部材の前記第１方向へのずれを防止するための膨張部が前記ひも状部材の長手方向において所定のピッチで膨らむように形成されていることを特徴とする果実袋。
【請求項２】
前記保持部材には、前記袋口が形成される側の端面である第１端面と、前記第１端面に直交する端面であって前記ひも状部材が引き出される側の端面である第２端面と、前記第１端面に直交する端面であって前記第２端面の反対側の端面である第３端面とが形成されるとともに、前記固定溝として、前記第１端面から前記第１端面に直交する方向に向かって形成される第１固定溝と、前記第３端面から前記第３端面に直交する方向に向かって形成される第２固定溝とが形成されていることを特徴とする請求項１記載の果実袋。
【請求項３】
前記ひも状部材の一端には、前記ひも状部材の長手方向に直交する方向の両側へ突出する抜止め部が形成され、
前記保持部材には、前記第１方向における前記保持部材の一方の面から窪むとともに前記抜止め部が配置される配置凹部と、前記抜止め部が繋がる前記ひも状部材の一端側が配置されるとともに前記配置凹部に繋がる配置孔とが形成され、
前記第１方向における前記保持部材の一方の面と前記配置孔との間には、前記配置孔に前記ひも状部材の一端側が配置されるときに前記ひも状部材の一端側が通過するスリット状の通過溝が形成され、
前記通過溝の幅は、前記ひも状部材の外径よりも小さくなっており、
前記ひも状部材の一端側は、パッチン止めによって前記保持部材に係合して保持されていることを特徴とする請求項１または２記載の果実袋。
【請求項４】
前記袋本体の前記袋口側には、前記保持部材の少なくとも一部が収容される袋状の収容部が形成され、
前記収容部は、前記収容部の一端側に形成され前記ひも状部材が引き出される引出孔と、前記引出孔が形成される前記収容部の一端側の反対側となる前記収容部の他端側に形成され前記保持部材が挿入可能な開口部とを備え、
前記開口部から、かつ、前記ひも状部材の先端側から前記巻付け部材が前記収容部に挿入されて、前記保持部材の少なくとも一部が前記収容部に収容されることを特徴とする請求項１から３のいずれかに記載の果実袋。
【発明の詳細な説明】
【技術分野】
【０００１】
本発明は、果実に被せて果実を保護するための果実袋に関する。
【背景技術】
【０００２】
従来、果実に被せて果実を保護するための果実袋が知られている（たとえば、特許文献１参照）。特許文献１に記載の果実袋は、袋本体と、袋本体の袋口側に配置されるステンレス製の密閉線とを備えている。袋本体の袋口側の角部には、袋本体の角を切り取って張り合わせた比較的固い隅部が形成されている。密閉線の一端は、この隅部に固定され、密閉線の他端は、自由端となっている。また、袋本体の隅部には、密閉線の自由端が嵌め込まれる直線切り溝が形成されている。特許文献１に記載の果実袋を取り付けるときには、袋本体を果実に被せてから袋本体の袋口側をすぼめ、その後、袋本体の袋口側に密閉線を複数回巻き付けてから、密閉線の自由端を直線切り溝に嵌め込む。
【先行技術文献】
【特許文献】
【０００３】
【特許文献１】実用新案登録第３０３９４５４号公報
【発明の概要】
【発明が解決しようとする課題】
【０００４】
特許文献１に記載の果実袋では、すぼまった状態の袋本体の袋口側に巻き付けられるのがステンレス製の密閉線である。したがって、この果実袋の場合、袋本体の袋口側に巻き付けられた密閉線がすぼまった状態の袋本体の袋口側から外れて袋本体が果実から外れてしまうのを防止するために、袋本体の袋口側に密閉線を複数回巻き付けなければならず、果実袋の取付け作業は煩雑である。また、この果実袋の場合、袋本体の袋口側に密閉線が複数回巻き付けられているため、果実袋の取外し作業も煩雑である。
【０００５】
そこで、本発明の課題は、取付け作業および取外し作業を容易に行うことが可能な果実袋を提供することにある。
【課題を解決するための手段】
【０００６】
上記の課題を解決するため、本発明の果実袋は、果実を覆うように果実に被せられる袋本体と、袋本体の袋口側がすぼまった状態を維持するために袋本体の袋口側に巻き付けられるとともに袋本体に保持される巻付け部材とを備え、巻付け部材は、ひも状に形成されるゴム製またはエラストマー製あるいはシリコーン製のひも状部材と、ひも状部材の一端側を保持する平板状またはブロック状の保持部材とを備え、保持部材は、保持部材の厚さ方向と袋本体の厚さ方向とが一致するように袋本体に保持され、保持部材の厚さ方向を第１方向とすると、第１方向に直交する方向における保持部材の端面には、ひも状部材が嵌め込まれて固定される固定溝が形成され、ひも状部材には、固定溝に嵌め込まれたひも状部材の第１方向へのずれを防止するための膨張部がひも状部材の長手方向において所定のピッチで膨らむように形成されていることを特徴とする。
【０００７】
本発明の果実袋では、袋本体の袋口側がすぼまった状態を維持するために袋本体の袋口側に巻き付けられる巻付け部材は、ゴム製またはエラストマー製あるいはシリコーン製のひも状部材と、ひも状部材の一端側を保持する保持部材とを備えており、袋本体に保持される保持部材の端面に、ひも状部材が嵌め込まれて固定される固定溝が形成されている。また、本発明では、固定溝に嵌め込まれたひも状部材の第１方向へのずれを防止するための膨張部がひも状部材に形成されている。そのため、本発明では、ゴム製またはエラストマー製あるいはシリコーン製のひも状部材を引っ張った状態で袋本体の袋口側に巻き付けた後、保持部材の固定溝に嵌め込むことで、袋本体の袋口側に巻き付けられる巻付け部材の巻き付け回数が１回であっても、ひも状部材の弾性力を利用して、袋本体の袋口側に巻き付けられた巻付け部材がすぼまった状態の袋本体の袋口側から外れて袋本体が果実から外れてしまうのを防止することが可能になる。すなわち、本発明では、袋本体の袋口側に巻き付けられる巻付け部材の巻き付け回数が１回であっても、袋本体が果実から外れないように果実袋を取り付けることが可能になる。したがって、本発明では、果実袋の取付け作業が容易になる。また、本発明では、伸びた状態で袋本体の袋口側に１回巻き付けられているひも状部材を固定溝から外すことで、果実袋を取り外すことが可能になるため、果実袋の取外し作業が容易になる。
【０００８】
本発明において、保持部材には、袋口が形成される側の端面である第１端面と、第１端面に直交する端面であってひも状部材が引き出される側の端面である第２端面と、第１端面に直交する端面であって第２端面の反対側の端面である第３端面とが形成されるとともに、固定溝として、第１端面から第１端面に直交する方向に向かって形成される第１固定溝と、第３端面から第３端面に直交する方向に向かって形成される第２固定溝とが形成されていることが好ましい。このように構成すると、袋本体の袋口側に巻き付けられた後のひも状部材を嵌め込む固定溝として、保持部材の異なる端面に形成される第１固定溝または第２固定溝のいずれかを選択することが可能になる。したがって、第１固定溝および第２固定溝から、ひも状部材を嵌め込みやすい固定溝を選択して、ひも状部材を嵌め込むことが可能になり、その結果、果実袋の取付け作業がより容易になる。
【０００９】
本発明において、ひも状部材の一端には、ひも状部材の長手方向に直交する方向の両側へ突出する抜止め部が形成され、保持部材には、第１方向における保持部材の一方の面から窪むとともに抜止め部が配置される配置凹部と、抜止め部が繋がるひも状部材の一端側が配置されるとともに配置凹部に繋がる配置孔とが形成され、第１方向における保持部材の一方の面と配置孔との間には、配置孔にひも状部材の一端側が配置されるときにひも状部材の一端側が通過するスリット状の通過溝が形成され、通過溝の幅は、ひも状部材の外径よりも小さくなっており、ひも状部材の一端側は、パッチン止めによって保持部材に係合して保持されていることが好ましい。このように構成すると、ひも状部材と保持部材とが別体で形成されていても、ひも状部材の一端側を保持部材に容易に取り付けることが可能になる。
【００１０】
本発明において、袋本体の袋口側には、保持部材の少なくとも一部が収容される袋状の収容部が形成され、収容部は、収容部の一端側に形成されひも状部材が引き出される引出孔と、引出孔が形成される収容部の一端側の反対側となる収容部の他端側に形成され保持部材が挿入可能な開口部とを備え、開口部から、かつ、ひも状部材の先端側から巻付け部材が収容部に挿入されて、保持部材の少なくとも一部が収容部に収容されることが好ましい。このように構成すると、開口部側へ巻付け部材を引き抜くことで、袋本体から巻付け部材を容易に取り外すことが可能になる。したがって、果実の収穫後に袋本体のみを廃棄する場合、巻付け部材を袋本体から容易に取り外して再利用することが可能になる。また、果実の収穫後に袋本体および巻き付け部材を廃棄する場合には、袋本体と巻き付け部材とが異なる材料で形成されていても、袋本体と巻き付け部材とを容易に分別して廃棄することが可能になる。
【発明の効果】
【００１１】
以上のように、本発明では、果実袋の取付け作業および取外し作業を容易に行うことが可能になる。
【図面の簡単な説明】
【００１２】
【図１】本発明の実施の形態にかかる果実袋の正面図である。
【図２】図１に示す巻付け部材の斜視図である。
【図３】（Ａ）は、図１のＥ部の拡大図であり、（Ｂ）は、図２のＦ−Ｆ方向からひも状部材、配置孔および通過溝を示す図である。
【図４】図１に示す果実袋が取り付けられた状態の一例を示す図である。
【発明を実施するための形態】
【００１３】
（果実袋の構成）
図１は、本発明の実施の形態にかかる果実袋１の正面図である。図２は、図１に示す巻付け部材４の斜視図である。図３（Ａ）は、図１のＥ部の拡大図であり、図３（Ｂ）は、図２のＦ−Ｆ方向からひも状部材５、配置孔６ｒおよび通過溝６ｓを示す図である。図４は、図１に示す果実袋１が取り付けられた状態の一例を示す図である。
【００１４】
本形態の果実袋１は、果実２を保護するための袋である。この果実袋１は、果実２を覆うように果実２に被せられる袋状の袋本体３と、袋本体３の袋口３ａの側（袋口３ａ側）がすぼまった状態を維持するために袋本体３の袋口３ａ側に巻き付けられる巻付け部材４とを備えている。巻付け部材４は、ひも状に形成されるひも状部材５と、ひも状部材５の一端側を保持する平板状の保持部材６とから構成されている。
【００１５】
袋本体３は、表面に撥水加工が施された紙で形成されている。また、袋本体３は、略長方形状に形成されており、略長方形をなす袋本体３の長手方向の一端に、袋口３ａが形成されている。本形態の果実２は、桃であり、袋本体３の袋口３ａ側には、Ｖ形状の切り抜かれた切抜き部３ｂが形成されている。以下の説明では、略長方形状に形成される袋本体３の長手方向（図１のＹ方向）を上下方向とし、上下方向に直交する袋本体３の短手方向（図１のＸ方向）を左右方向とする。また、以下の説明では、袋口３ａが形成される側（Ｙ１方向側）を「上」側、その反対側（Ｙ２方向側）を「下」側、左右方向の一方側（Ｘ１方向側）を「右」側、その反対側を「左」側とする。
【００１６】
袋本体３では、袋口３ａが形成される袋本体３の上端を除いた袋本体３の下端および左右両端は閉じている。袋本体３の右上端側には、保持部材６の一部が収容される袋状の収容部３ｃが形成されている。収容部３ｃは、袋本体３の右上端側部分に上下方向に平行な切り込みを入れて下側に折り返すとともに、下側に折り返された重なった部分の左端側および下端側を糊７（図３（Ａ）参照）で貼り付けることで形成されている。収容部３ｃの左端側には、ひも状部材５が引き出される引出孔３ｄが形成されている。具体的には、収容部３ｃの左端側では、上下方向における一定の領域に糊７が塗布されておらず、この糊７が塗布されていない部分が引出孔３ｄとなっている。収容部３ｃの右端は、保持部材６を挿入可能な開口部３ｅとなっている。なお、糊７に代えて、両面テープや接着剤が使用されても良い。
【００１７】
ひも状部材５は、ゴム弾性を有するゴムまたはエラストマーあるいはシリコーンで形成されている。このひも状部材５は、ひも状部材５の横断面の形状が円形状となる細長いひも状に形成されている。ひも状部材５には、保持部材６に形成される後述の固定溝６ｃ、６ｄに嵌め込まれたひも状部材５の、保持部材６の厚さ方向へのずれ（ひも状部材５の長手方向へのずれ）を防止するための複数の膨張部５ａが形成されている。膨張部５ａは、ひも状部材５の長手方向において一定のピッチで形成されている。また、膨張部５ａは、膨らむように形成されている。具体的には、膨張部５ａは、球状に膨らむように形成されている。ひも状部材５の一端には、ひも状部材５の長手方向に直交する方向の両側へ突出する抜止め部５ｂが形成されている。すなわち、ひも状部材５の一端側は、略Ｔ形状に形成されている。
【００１８】
保持部材６は、樹脂材料で形成されている。具体的には、保持部材６は、ポリプロピレン、ポリエチレンまたはポリアセタール等の耐薬品性および耐光性に優れる樹脂材料で形成されている。また、保持部材６は、略長方形の平板状に形成されている。この保持部材６は、保持部材６の厚さ方向と袋本体３の厚さ方向とが一致するように袋本体３に保持されている。すなわち、巻付け部材４は、袋本体３に保持されている。また、保持部材６は、略長方形状に形成される保持部材６の長手方向と左右方向とが一致し、保持部材６の短手方向と上下方向とが一致するように袋本体３に保持されている。保持部材６の上端面６ａおよび右端面６ｂには、ひも状部材５が嵌め込まれて固定される固定溝６ｃ、６ｄが形成されている。ひも状部材５の一端側は、保持部材６の左端側部分に保持されており、ひも状部材５は、保持部材６の左端面６ｅ側に引き出されている。本形態の上端面６ａは第１端面であり、左端面６ｅは第２端面であり、右端面６ｂは第３端面である。また、固定溝６ｃは第１固定溝であり、固定溝６ｄは第２固定溝である。
【００１９】
固定溝６ｃは、上端面６ａから下方向に向かって形成されている。図３（Ａ）に示すように、固定溝６ｃは、固定溝６ｃに嵌め込まれたひも状部材５の一部が配置される配置孔６ｆと、配置孔６ｆから上側へひも状部材５が抜けるのを防止する抜け防止部６ｇと、配置孔６ｆへひも状部材５を案内するガイド部６ｈとから構成されている。配置孔６ｆは、ひも状部材５の形状に応じた形状となっており、丸孔状に形成されている。配置孔６ｆの内径は、ひも状部材５の、膨張部５ａが形成されていない部分の外径よりも若干小さくなっている。抜け防止部６ｇは、配置孔６ｆの上端に繋がるように形成されている。左右方向における抜け防止部６ｇの幅は、ひも状部材５の、膨張部５ａが形成されていない部分の外径よりも小さくなっている。ガイド部６ｈは、抜け防止部６ｇの上端と上端面６ａとの間に形成されている。このガイド部６ｈは、左右方向の両側へ広がるように傾斜する傾斜面となっている。
【００２０】
固定溝６ｄは、右端面６ｂから左方向に向かって形成されている。この固定溝６ｄは、固定部６ｃと同様に、固定溝６ｄに嵌め込まれたひも状部材５の一部が配置される配置孔６ｊと、配置孔６ｊから右側へひも状部材５が抜けるのを防止する抜け防止部６ｋと、配置孔６ｊへひも状部材５を案内するガイド部６ｍとから構成されている。配置孔６ｊは、丸孔状に形成されており、配置孔６ｊの内径は、ひも状部材５の、膨張部５ａが形成されていない部分の外径よりも若干小さくなっている。抜け防止部６ｋは、配置孔６ｊの右端に繋がるように形成されており、上下方向における抜け防止部６ｋの幅は、ひも状部材５の、膨張部５ａが形成されていない部分の外径よりも小さくなっている。ガイド部６ｍは、抜け防止部６ｋの右端と右端面６ｂとの間に形成されており、上下方向の両側へ広がるように傾斜する傾斜面となっている。
【００２１】
また、保持部材６には、抜止め部５ｂが配置される配置凹部６ｐと、抜止め部５ｂが繋がるひも状部材５の一端側が配置される配置孔６ｒ（図３（Ｂ）参照）と、ひも状部材５の一端側が配置孔６ｒに配置されるときにひも状部材５の一端側が通過するスリット状の通過溝６ｓとが形成されている。配置凹部６ｐは、保持部材６の厚さ方向における一方の面から窪むように形成されている。配置孔６ｒは、左端面６ｅと配置凹部６ｐとを繋ぐように、左右方向において、左端面６ｅと配置凹部６ｐとの間に形成されており、配置孔６ｒの右端は、配置凹部６ｐに繋がっている。通過溝６ｓは、配置凹部６ｐが形成される保持部材６の一方の面と配置孔６ｒとを繋ぐように、保持部材６の厚さ方向において、配置凹部６ｐが形成される保持部材６の一方の面と配置孔６ｒとの間に形成されている。
【００２２】
配置孔６ｒは、丸孔状に形成されており、配置孔６ｒの内径は、ひも状部材５の、膨張部５ａが形成されていない部分の外径よりも若干大きくなっている。通過溝６ｓの幅（上下方向の幅）は、ひも状部材５の、膨張部５ａが形成されていない部分の外径よりも小さくなっている。本形態では、抜止め部５ｂが配置凹部６ｐに配置されるとともに、抜止め部５ｂが繋がるひも状部材５の一端側が通過溝６ｓを通過して配置孔６ｒに配置されることで、ひも状部材５の一端側が保持部材６に係合している。すなわち、ひも状部材５の一端側は、圧縮した状態で通過溝６ｓを通過するひも状部材５の弾性変形を利用したパッチン止めによって保持部材６に係合して保持されている。
【００２３】
保持部材６の左端側部分は、袋本体３の収容部３ｃに収容されている。本形態では、開口部３ｅ側から、かつ、ひも状部材５の先端側から、ひも状部材５が引出孔３ｄを通過するように巻付け部材４が収容部３ｃに挿入されて、保持部材６の左端側部分が袋本体３の収容部３ｃに収容される。すなわち、ひも状部材５が引出孔３ｄを通過するように収容部３ｃの右側から巻付け部材４が収容部３ｃに挿入されて、保持部材６の左端側部分が袋本体３の収容部３ｃに収容される。
【００２４】
以上のように構成された果実袋１を取り付けるときには、果実２を覆うように袋本体３を果実に被せた後、袋本体３の上端側をすぼめ、その後、ひも状部材５を引っ張った状態で袋本体３の上端側に巻き付けてから、固定溝６ｃまたは固定溝６ｄにひも状部材５を嵌め込んで固定する。具体的には、上述のように本形態の果実２は桃であり、果梗２ａの長さが短いため、袋本体３の切抜き部３ｂに枝２ｂを配置した状態で、図４に示すように、枝２ｂの上で袋本体３の上端側をすぼめ、引っ張った状態のひも状部材５を袋本体３の上端側に巻き付けるとともに枝２ｂに巻き付けてから、固定溝６ｃまたは固定溝６ｄにひも状部材５を嵌め込んで固定する。
【００２５】
（本形態の主な効果）
以上説明したように、本形態では、ひも状部材５に、固定溝６ｃ、６ｄに嵌め込まれたひも状部材５のずれを防止するための膨張部５ａが形成されており、果実袋１を取り付ける際には、ゴム製またはエラストマー製あるいはシリコーン製のひも状部材５を引っ張った状態で袋本体３の上端側に巻き付けてから、固定溝６ｃまたは固定溝６ｄにひも状部材５を嵌め込んで固定している。そのため、本形態では、袋本体３の上端側に巻き付けられる巻付け部材４の巻き付け回数が１回であっても、ひも状部材５の弾性力を利用して、袋本体３の上端側に巻き付けられた巻付け部材４がすぼまった状態の袋本体３の上端側から外れて袋本体３が果実２から外れてしまうのを防止することが可能になる。すなわち、本形態では、袋本体３の上端側に巻き付けられる巻付け部材４の巻き付け回数が１回であっても、袋本体３が果実２から外れないように果実袋１を取り付けることが可能になるため、果実袋１の取付け作業が容易になる。また、本形態では、袋本体３の上端側に１回巻き付けられているひも状部材５を固定溝６ｃまたは固定溝６ｄから外すことで、果実袋１を取り外すことが可能になるため、果実袋１の取外し作業が容易になる。
【００２６】
本形態では、保持部材６の上端面６ａと右端面６ｂとの２箇所に固定溝６ｃ、６ｄが形成されている。そのため、本形態では、固定溝６ｃまたは固定溝６ｄにひも状部材５を嵌め込む際に、ひも状部材５を嵌め込みやすい固定溝６ｃまたは固定溝６ｄを選択して、ひも状部材５を嵌め込むことが可能になる。したがって、本形態では、果実袋１の取付け作業がより容易になる。また、本形態では、ひも状部材５の一端側が、パッチン止めによって保持部材６に係合しているため、ひも状部材５と保持部材６とが別体で形成されていても、ひも状部材５の一端側を保持部材６に容易に取り付けることが可能になる。
【００２７】
本形態では、袋本体３の開口部３ｅ側から、かつ、ひも状部材５の先端側から巻付け部材４を収容部３ｃに挿入して、保持部材６の左端側部分を収容部３ｃに収容することで、巻付け部材４が袋本体３に保持されている。そのため、本形態では、開口部３ｅ側へ巻付け部材４を引き抜くことで、袋本体３から巻付け部材４を容易に取り外すことが可能になる。したがって、本形態では、果実２の収穫後に袋本体３のみを廃棄する場合、巻付け部材４を袋本体３から容易に取り外して再利用することが可能になる。また、果実２の収穫後に袋本体３および巻き付け部材４を廃棄する場合、紙製の袋本体３と巻き付け部材４とを容易に分別することが可能になる。また、ひも状部材５の一端側がパッチン止めによって保持部材６に係合しているため、ひも状部材５と保持部材６とを容易に分別することが可能になる。
【００２８】
（他の実施の形態）
上述した形態では、保持部材６に２個の固定溝６ｃ、６ｄが形成されているが、保持部材６に形成される固定溝の数は、１個であっても良いし、３個以上であっても良い。たとえば、保持部材６に、固定溝６ｄのみが形成されても良いし、２個の固定溝６ｃ、６ｄに加えて、保持部材６の下端面に固定溝が形成されても良い。また、上述した形態では、保持部材６は略長方形に形成されているが、保持部材６の形状は略長方形以外の形状であっても良い。さらに、上述した形態では、保持部材６は平板状に形成されているが、保持部材６はブロック状に形成されても良い。また、上述した形態では、保持部材６は樹脂材料で形成されているが、保持部材６は金属材料等の樹脂材料以外の材料で形成されても良い。
【００２９】
上述した形態では、保持部材６の左端側の一部分が袋本体３の収容部３ｃに収容されているが、保持部材６の全体が収容部３ｃに収容されていても良い。また、上述した形態では、保持部材６の左端側部分が収容部３ｃに収容されることで、巻付け部材４が袋本体３に保持されているが、保持部材６が袋本体３に接着等によって直接固定されても良い。この場合には、袋本体３に収容部３ｃが形成されていなくても良い。さらに、上述した形態では、ひも状部材５の一端側は、パッチン止めによって保持部材６に取り付けられているが、ひも状部材５の一端側は、接着等の他の固定方法によって保持部材６に取り付けられても良い。
【００３０】
上述した形態では、ひも状部材５は枝２ｂに巻き付けられているが、ひも状部材５は枝２ｂに巻き付けられていなくても良い。また、上述した形態では、枝２ｂの上で袋本体３の上端側がすぼめられているが、枝２ｂの下で袋本体３の上端側がすぼめられても良い。また、上述した形態では、果実２は桃であるが、果実２はリンゴやブドウ等の桃以外の果実であっても良い。なお、果実２の種類に応じて、袋本体３に切抜き部３ｂが形成されないことがあり、この場合には、枝２ｂの下で袋本体３の上端側がすぼめられる。また、この場合には、果実２の種類に応じて、袋本体３の上端側および果梗２ａにひも状部材５が巻き付けられることもあれば、ひも状部材５が袋本体３の上端側には巻き付けられるが果梗２ａには巻き付けられないこともある。
【符号の説明】
【００３１】
１  果実袋
２  果実
３  袋本体
３ａ  袋口
３ｃ  収容部
３ｄ  引出孔
３ｅ  開口部
４  巻付け部材
５  ひも状部材
５ａ  膨張部
５ｂ  抜止め部
６  保持部材
６ａ  上端面（第１端面、保持部材の端面）
６ｂ  右端面（第３端面、保持部材の端面）
６ｃ  固定溝（第１固定溝）
６ｄ  固定溝（第２固定溝）
６ｅ  左端面（第２端面）
６ｐ  配置凹部
６ｒ  配置孔
６ｓ  通過溝
【図１】
2017029004.tif 000003
【図２】
2017029004.tif 000004
【図３】
2017029004.tif 000005
【図４】
2017029004.tif 000006